(57)【特許請求の範囲】
【請求項１】
内径部分が空調用空気の吹出口を構成する円筒形状の筒体と、前記筒体の内周を同筒体の中心軸回りに分割したときの各領域の扇形の弦に平行な回動軸をそれぞれ有して前記筒体に回動可能に軸支された３つまたは４つのフィン体と、を備えるとともに、前記フィン体のそれぞれが、前記中心軸に対する空気流案内面の傾斜角が最大となる閉鎖位置に回動されたときに前記吹出口を閉鎖する丸型空調用レジスタにおいて、
前記フィン体にはそれぞれ、前記閉鎖位置にて前記吹出口を閉鎖する主フィンと、その主フィンに間隔を置いて配置された副フィンとが一体に設けられており、
前記主フィンと前記副フィンとは、前記筒体に軸支された状態での同筒体の周方向における両端部にて互いに連結されている
ことを特徴とする丸型空調用レジスタ。
【請求項２】
前記フィン体は、前記中心軸に平行な全開位置から前記閉鎖位置に向う方向とは逆方向に前記空気流案内面が傾斜するスポット送風位置に回動可能とされている請求項１に記載の丸型空調用レジスタ。
【請求項３】
前記筒体は、前記フィン体を軸支する第１筒体と、同第１筒体に相対回動可能に設けられて、前記フィン体から突出された突起部をその相対回動に応じて前記筒体の中心軸方向に案内するガイド溝を有した第２筒体とを備える請求項１又は２に記載の丸型空調用レジスタ。
【発明の詳細な説明】
【技術分野】
【０００１】
本発明は、空調用空気の吹出口付近の通風路に設けられたフィンにより同吹出口を開放及び閉鎖するフィンシャット機能と、吹出口から吹出される風を放射状に拡散させる拡散送風機能と、を有した丸型空調用レジスタに関する。
【背景技術】
【０００２】
車両のインストルメントパネルやダッシュボードには、空調装置から送られてきた空調用空気を吹出口から吹出す空調用レジスタが組込まれている。そして従来、丸型の吹出口を有した丸型空調用レジスタとして、特許文献１、２に見られるような、吹出口に設けられた可動式のフィンにより、吹出口を開放及び閉鎖するフィンシャット機能を有したものが知られている。
【先行技術文献】
【特許文献】
【０００３】
【特許文献１】特開２００９−１３７３３４号公報
【特許文献２】特開２００９−１０７４３９号公報
【発明の概要】
【発明が解決しようとする課題】
【０００４】
ところで、近年には、丸型空調用レジスタに、吹出口からの送風を放射状に拡散させて、送風範囲を広げる拡散送風機能の具備が求められている。一方、部品点数の削減や意匠上の要求により、フィンの枚数の削減が要望されることがある。ただし、単純にフィンの枚数を少なくすると、個々のフィンが大きくなり、全開時における吹出口中心軸方向へのフィンの張り出しが大きくなってしまう。また、一枚のフィンが行える風向の変更には限界があるため、フィンの枚数を少なくすると、送風の拡散性能を十分確保することが困難となってしまう。
【０００５】
本発明は、このような実情に鑑みてなされたものであって、その目的は、部品点数を抑えながら、送風の拡散性能を好適に確保することのできる丸型空調用レジスタを提供することにある。
【課題を解決するための手段】
【０００６】
上記課題を解決する丸型空調用レジスタは、内径部分が空調用空気の吹出口を構成する円筒形状の筒体と、前記筒体の内周を同筒体の中心軸回りに分割したときの各領域の扇形の弦に平行な回動軸をそれぞれ有して同筒体に回動可能に軸支された３つまたは４つのフィン体と、を備える。また、同丸型空調用レジスタは、フィン体のそれぞれが、上記中心軸に対する空気流案内面の傾斜角が最大となる閉鎖位置に回動されたときに吹出口を閉鎖するよう構成されている。そして、それらのフィン体に、上記閉鎖位置にて吹出口を閉鎖する主フィンと、その主フィンに間隔を置いて配置された副フィンとがそれぞれ一体に設けられており、主フィンと副フィンとは、筒体に軸支された状態での同筒体の周方向における両端部にて互いに連結されている。
【０００７】
上記のように軸支されたフィン体では、閉鎖位置にて吹出口を閉鎖する主フィンの数が少なくても、筒体の中心軸方向における全開時のフィン体の張り出しが抑えられるため、意匠性の悪化や大型化を抑制しつつ、部品点数を抑えることができる。一方、筒体の中心軸に対する主フィン及び副フィンの空気流案内面の傾斜角が閉鎖位置における角度未満となる位置にフィン体を回動すると、主フィン及び副フィンの空気流案内面により吹出口からの空調用空気の送風が筒体の径方向に放射状に拡散されるようになる。この丸型空調用レジスタでは、各フィン体には主フィンと副フィンとが一体に設けられており、フィン体の数の倍の枚数のフィンが吹出口に介在しているため、個別の回動軸を有したフィン体の数が少なくても、このときの送風の拡散が好適に行われるようになる。
【０００８】
上記丸型空調用レジスタにおいて、そのフィン体は、上記中心軸に平行な全開位置から上記閉鎖位置に向う方向とは逆方向に空気流案内面が傾斜するスポット送風位置に回動可能とされていることが望ましい。こうした場合、吹出口からの送風を、中心軸の延長線上の一点に収束させるスポット送風機能の実現が可能となる。そして、そうしたスポット送風についても、拡散送風と同様に、好適に行われるようになる。
【００１０】
上記丸型空調用レジスタにおいて、その筒体は、フィン体を軸支する第１筒体と、同第１筒体に相対回動可能に設けられて、フィン体から突出された突起部をその相対回動に応じて筒体の中心軸方向に案内するガイド溝を有した第２筒体とを備えた構成とすることが望ましい。このようにすれば、上記扇形の弦に平行な回動軸を中心としたフィン体の回動を、比較的簡易な構造で行うことが可能となる。
【発明の効果】
【００１１】
上記丸型空調用レジスタによれば、部品点数を抑えながら、送風の拡散性能を好適に確保することができる。
【図面の簡単な説明】
【００１２】
【図１】丸型空調用レジスタの一実施形態が設置された車両のインストルメントパネルの吹出口周辺の平面図。
【図２】同丸型空調用レジスタの斜視図。
【図３】同丸型空調用レジスタの分解斜視図。
【図４】図１のＡ−Ａ線に沿った同丸型空調用レジスタ及びインストルメントパネルの断面図。
【図５】同丸型空調用レジスタに設けられたフィン体の斜視図。
【図６】（ａ）〜（ｄ）フィン体の回動動作の各段階におけるフィン体及びその周辺の部分断面図。
【図７】（ａ）シャットモード時、（ｂ）拡散送風モード時、（ｃ）全開モード時、及び（ｄ）スポット送風モード時の各モードにおける同丸型空調用レジスタの正面図。
【図８】図７（ａ）のＢ−Ｂ線に沿った同丸型空調用レジスタの断面図を、図７（ｃ）のＤ−Ｄ線に沿った同丸型空調用レジスタの断面図と併せ示す図。
【図９】図７（ｂ）のＣ−Ｃ線に沿った同丸型空調用レジスタの断面図。
【図１０】図７（ｄ）のＥ−Ｅ線に沿った同丸型空調用レジスタの断面図。
【図１１】径軸回動式のフィンを有した丸型空調用レジスタの一例について、（ａ）は閉鎖モード時の吹出口付近の斜視図であり、（ｂ）は拡散送風モード時の吹出口付近の斜視図である。
【図１２】４枚のフィンを有した丸型空調用レジスタの正面図。
【図１３】（ａ）は図１２に示される軸Ｘをフィンの回動軸としたときの、（ｂ）は同図に示される軸Ｙをフィンの回動軸としたときの、（ｃ）は同図に示される軸Ｚをフィンの回動軸としたときの、それぞれにおける全開モード時の丸型空調用レジスタの部分断面図。
【図１４】個別の回動軸を有した３枚の弦軸回動式のフィンを備える丸型空調用レジスタにおける拡散モード時の空調用空気の吹出し態様を示す図。
【図１５】フィン体の変形例の斜視図。
【発明を実施するための形態】
【００１３】
以下、丸型空調用レジスタの一実施形態を、図１〜図１４を参照して詳細に説明する。なお、本実施形態の丸型空調用レジスタは、車両のインストルメントパネルに設けられるものとなっている。
【００１４】
図１に示すように、本実施形態の丸型空調用レジスタ１０は、車両のインストルメントパネル１１における、空調用空気の吹出口部分に取り付けられている。そして、車両の空調装置から送られた空調用空気が、この丸型空調用レジスタ１０を通って車室内に吹出されるようになっている。なお、以下の説明では、丸型空調用レジスタ１０における空調用空気の流れ方向上流側をレジスタ後方といい、その流れ方向下流側をレジスタ前方という。
【００１５】
図２及び図３に示すように、丸型空調用レジスタ１０は、インストルメントパネル１１に固定されるリテーナ１２と、そのリテーナ１２の内径部分に配置される、筒体としての吹出口リング１３と、その吹出口リング１３の内径部分に配置される３つのフィン体１４と、を備える。リテーナ１２の内径部分は、空調用空気の通風路の一部を構成し、吹出口リング１３の内径部分は、空調用空気の吹出口１３Ａを構成する。
【００１６】
リテーナ１２は、リテーナ前部１５とリテーナ後部１６と、により構成されている。リテーナ前部１５は、リング形状に形成されている。リテーナ後部１６は、内球面形状の内面を有し、その内面には、リテーナ１２の中心軸方向に延びる係合溝１７が形成されている。また、リテーナ後部１６には、リテーナ１２の中心軸に沿ってレジスタ前方に突出した棒状の支持柱１８が設けられている。支持柱１８の先端には、球状の軸受け球１９が設けられている。
【００１７】
また、吹出口リング１３は全体として、外球面形状の外面を有している。そして、吹出口リング１３は、内球面形状を呈したリテーナ後部１６の内面にその外面が摺接した状態でリテーナ１２の内径部分に配置される。なお、吹出口リング１３は、第１筒体としてのリング前部２０と、第２筒体としてのリング基部２１と、リング前部２０のレジスタ前方を覆う、意匠部品であるベゼル部材２２と、により構成されている。そして、リング前部２０及びベゼル部材２２は、リング基部２１に対して、吹出口リング１３の中心軸Ｏ回りに相対回動可能に連結されている。
【００１８】
リング前部２０は、円環状の外輪部２０Ａと、その外輪部２０Ａの内周における周方向に等間隔を置いた位置からそれぞれ径方向内径側に突き出して外輪部２０Ａの中心部分において互いに繋がった３つのスポーク部２０Ｂと、を有している。なお、それらスポーク部２０Ｂの連結部分には、球面軸受け２０Ｃが形成されており、上記リテーナ１２に設けられた軸受け球１９に係合されるようになっている。更に、リング前部２０のスポーク部２０Ｂにおける外輪部２０Ａとの連結部分の両側には、軸支用突起２０Ｄが突出されている。
【００１９】
また、リング基部２１の外面には、リテーナ後部１６の内面に設けられた係合溝１７に係合される突起２１Ａが設けられている。また、リング基部２１の内面は、レジスタ後方に向うほど、内径側に向う湾曲面に形成されている。こうしたリング基部２１の内面には、周方向において等間隔を置いて３組のガイド溝対２３が形成されている。各ガイド溝対２３は、平行をなしてリング基部２１の内面を螺旋状に延びる、第１ガイド溝２３Ａ及び第２ガイド溝２３Ｂの２本の溝からなっている。
【００２０】
図４に示すように、リテーナ１２は、そのリテーナ前部１５の外周においてインストルメントパネル１１に固定される。そして、リテーナ１２の内径部分には、軸受け球１９及び球面軸受け２０Ｃの係合、及び係合溝１７への突起２１Ａの係合を通じて、軸受け球１９の球中心を中心として揺動可能に吹出口リング１３が配設されている。そして、その揺動により、吹出口リング１３の中心軸の向きが、ひいては空調用空気の吹出し方向が変更されるようになっている。なお、吹出口リング１３の中心軸Ｏ回りのリング基部２１の回動は、係合溝１７への突起２１Ａの係合によって規制されている。
【００２１】
図５に示すように、こうした丸型空調用レジスタ１０に設けられる３つのフィン体１４は、主フィン２４と副フィン２５との２枚のフィンが一体に設けられたものとなっている。主フィン２４と副フィン２５とは、吹出口リング１３に軸支された状態での同吹出口リング１３の周方向における両端部にて互いに連結されており、フィン体１４は全体として筒形状をなしている。これら主フィン２４及び副フィン２５の表裏面はそれぞれ、空調用空気の流れを案内する空気流案内面となっている。
【００２２】
また、フィン体１４には、軸支用突起２０Ｄが嵌合される係合穴１４Ａが設けられている。そして、各フィン体１４は、隣接したスポーク部２０Ｂに対向して設けられた一対の軸支用突起２０Ｄの、これら係合穴１４Ａへの嵌合を通じて、リング前部２０に回動可能に軸支されている。こうして軸支された各フィン体１４の回動軸は、吹出口リング１３の内周を中心軸回りに３つの扇形の領域に等分割したときの各領域の扇形の弦にそれぞれ平行な軸となっている。
【００２３】
更に、フィン体１４には、その外周に突出して、リング基部２１の内面に形成された第１ガイド溝２３Ａ及び第２ガイド溝２３Ｂにそれぞれ係合される２つの球状の突起部１４Ｂ，１４Ｃが設けられている。そして、リング前部２０とリング基部２１との相対回動に応じて、これらの突起部１４Ｂ，１４Ｃが第１ガイド溝２３Ａ及び第２ガイド溝２３Ｂに沿って吹出口リング１３の中心軸方向に案内されることで、フィン体１４が回動されるようになっている。
【００２４】
続いて、以上のように構成された本実施形態の丸型空調用レジスタ１０の作用を説明する。
この丸型空調用レジスタ１０では、スポーク部２０Ｂを指で摘むなどしてリング前部２０を回転して、フィン体１４の傾斜角を変更させることで、空調用空気の吹出しモードが変更されるようになっている。なお、ここでのフィン体１４の傾斜角とは、吹出口リング１３の中心軸Ｏと、フィン体１４の主フィン２４及び副フィン２５の空気流案内面とがなす角度をいう。この丸型空調用レジスタ１０におけるフィン体１４の傾斜角の変更は、以下の態様で行われる。
【００２５】
図６（ａ）に示す状態では、フィン体１４は、その主フィン２４及び副フィン２５の空気流案内面が吹出口リング１３の中心軸Ｏと平行になる位置（全開位置）に位置している。このときのフィン体１４では、その外周に設けられた２つの突起部１４Ｂ，１４Ｃのうち、レジスタ後方に位置する突起部１４Ｂが第１ガイド溝２３Ａに係合している。この状態でリング前部２０をリング基部２１に対して回転させると、図６（ｂ）に示すように、第１ガイド溝２３Ａにおける突起部１４Ｂの係合位置がレジスタ後方に変位して、フィン体１４の傾斜角が拡大する。
【００２６】
図６（ｃ）に示すように、同図（ｂ）の状態からリング前部２０を更に回転すると、フィン体１４の傾斜角が更に拡大するとともに、突起部１４Ｂが第２ガイド溝２３Ｂに係合する。このときには、２つの突起部１４Ｂ，１４Ｃがそれぞれ第１ガイド溝２３Ａ及び第２ガイド溝２３Ｂに同時に係合した状態となる。この状態では、リング基部２１に対するリング前部２０の相対回転に応じて、第１ガイド溝２３Ａ及び第２ガイド溝２３Ｂにおける突起部１４Ｂ，１４Ｃの係合位置がレジスタ前後方向にそれぞれ変位することで、フィン体１４の傾斜角が変更される。
【００２７】
図６（ｄ）に示すように、同図（ｃ）の状態からリング前部２０を更に回転すると、突起部１４Ｂは第１ガイド溝２３Ａから離脱するが、第２ガイド溝２３Ｂへの突起部１４Ｂの係合は維持される。この状態では、リング基部２１に対するリング前部２０の相対回転に応じて第２ガイド溝２３Ｂにおける突起部１４Ｃの係合位置がレジスタ前後方向に変位することで、フィン体１４の傾斜角が変更される。
【００２８】
ちなみに、単一の突起部と単一のガイド溝とによっても、フィン体１４の傾斜角を同様に変更することが可能である。ただし、そうした場合には、フィン体１４の傾斜角の変更量を確保するために、より長いガイド溝が必要となり、リング基部２１が吹出口リング１３の中心軸方向により長くなってしまう。その点、本実施形態のように、突起部１４Ｂ，１４Ｃ及びガイド溝（２３Ａ，２３Ｂ）を２組設け、突起部１４Ｂ，１４Ｃを案内するガイド溝（２３Ａ，２３Ｂ）をフィン体１４の回動範囲の途中で切り換えるようにすれば、フィン体１４の傾斜角の変更量の確保に必要なガイド溝の長さをより短くすることが可能となる。
【００２９】
図７（ａ）〜（ｄ）に示すように、この丸型空調用レジスタ１０では、上記のようなリング基部２１に対するリング前部２０の相対回動に応じたフィン体１４の傾斜角の変更に応じて、空調用空気の送風モードが変更される。図７（ａ）は、閉鎖モード時における正面から見た丸型空調用レジスタ１０の状態を、図７（ｂ）は、拡散送風モード時における正面から見た丸型空調用レジスタ１０の状態をそれぞれ示している。また、図７（ｃ）は、全開モード時における正面から見た丸型空調用レジスタ１０の状態を、図７（ｄ）は、スポットモード時における正面から見た丸型空調用レジスタ１０の状態をそれぞれ示している。同図に示されるように、この丸型空調用レジスタ１０では、リング基部２１に対するリング前部２０の図中反時計回り方向への回動量を閉鎖モード時の位置から増していくことで、拡散送風モード、全開モード、スポットモードの順に送風モードが変更されるようになっている。
【００３０】
図８には、閉鎖モード時における丸型空調用レジスタ１０の内部の状態が実線で示されている。このときのフィン体１４は、傾斜角が最大となる位置（閉鎖位置）に回動されている。このときの、空調用空気の吹出口１３Ａを構成する吹出口リング１３の内径部分は、主フィン２４により閉鎖され、吹出口１３Ａからの空調用空気の吹出しが遮断される。
【００３１】
なお、同図には、全開モード時における丸型空調用レジスタ１０の内部の状態が二点鎖線で併せ示されている。全開モード時のフィン体１４は、主フィン２４及び副フィン２５の空気流案内面が吹出口リング１３の中心軸Ｏに平行となる位置（全開位置）に回動されている。このときの空調用空気は、吹出口１３Ａから吹出口リング１３の中心軸方向に吹出される。なお、こうした全開モードでは、丸型空調用レジスタ１０を通過する際の空調用空気の圧損は最小となる。
【００３２】
図９は、拡散送風モード時における丸型空調用レジスタ１０の内部の状態を示している。拡散送風モード時のフィン体１４は、その傾斜角が、閉鎖モード時及び全開モード時の中間の角度となる位置に回動されている。このときの空調用空気は、吹出口１３Ａからその径方向に放射状に広がるように吹き出され、その結果、車室内への送風範囲が拡大されるようになる。
【００３３】
図１０は、スポット送風モード時における丸型空調用レジスタ１０の内部の状態を示している。スポット送風モード時のフィン体１４は、全開位置から閉鎖位置に向う方向とは逆方向にその空気流案内面が傾斜した位置（スポット送風位置）に回動されている。このときの空調用空気は、吹出口リング１３の中心軸Ｏの延長線上の一点に収束するように吹出口１３Ａから吹出される。
【００３４】
以上のように、この丸型空調用レジスタ１０は、フィン体１４により吹出口１３Ａを閉鎖するフィンシャット機能と、放射状に送風を拡散させる拡散送風機能と、送風を一点に収束させるスポット送風機能と、を有している。なお、丸型空調用レジスタにおけるフィンシャット機能及び拡散送風機能は、以下のような構成によってもその実現は可能である。
【００３５】
図１１（ａ）及び（ｂ）は、フィンシャット機能及び拡散送風機能を実現可能な丸型空調用レジスタの他の構成例における吹出口付近の斜視構造を示している。なお、同図（ａ）は、閉鎖モード時の状態を、同図（ｂ）は拡散送風モード時の状態を、それぞれ示している。
【００３６】
同図に示す丸型空調用レジスタは、内径部分が吹出口５０を構成する吹出口リング５２と、その吹出口リング５２の内径部分に配設された６枚のフィン５１と、を備える。各フィン５１は、吹出口リング５２の径方向に延びる回動軸を有してそれぞれ回動可能な状態で同吹出口リング５２に軸支されている。こうした丸型空調用レジスタでも、同図（ａ）に示すように、周方向における両端部分が隣接するフィン５１と互いに重なり合う位置に各フィン５１を回動することで、各フィン５１による吹出口５０の閉鎖、すなわちフィンシャットを実現することができる。また、同図（ｂ）に示すように空気流案内面が傾斜した角度となるように各フィン５１を回動することで、空調用空気を放射状に拡散して送風する拡散送風を行うことが可能でもある。
【００３７】
ところで、個別の回動軸を有して回動されるフィンの枚数が多くなると、その枚数の増加分に加え、それらを回動させるための機構も複雑となって、部品点数が増加する。そのため、丸型空調用レジスタ１０の構造の簡易化には、フィンの枚数は少なくすることが望ましい。また、意匠の面でも、フィン枚数の削減が求められることもある。しかしながら、上記構成例のような、吹出口リング５２の径方向に延びる軸をフィン５１の回動軸とした構成（以下、こうしたフィンの軸支態様を径軸回動式という）では、以下に述べるようにフィン５１の数を４枚以下とすることは困難となっている。
【００３８】
図１２に閉鎖モード時の状態を示すような、吹出口リング６１の内径部分に形成される吹出口６２に４枚のフィン６０を備えた構造により、フィンシャット機能及び拡散送風機能を有した丸型空調用レジスタを構成することを考える。ここで、図中最上部に位置するフィン６０の回動軸として、軸Ｘ、軸Ｙ及び軸Ｚをそれぞれ設定した場合について考察する。軸Ｘは、閉鎖モード時の状態におけるフィン６０の周方向中央を通り、吹出口リング６１の径方向に延びる軸であり、軸Ｙは、閉鎖モード時の状態におけるフィン６０の周方向端部を通り、吹出口リング６１の径方向に延びる軸である。また、軸Ｚは、吹出口リング６１の中心軸回りに吹出口６２を４つの扇形の領域に等分割したときの各領域の扇形の弦に平行な軸である。なお、以下では、こうした扇形の弦に平行な軸を回動軸としたフィンの軸支態様を弦軸回動式という。
【００３９】
図１３（ａ）〜（ｃ）はそれぞれ、軸Ｘ、軸Ｙおよび軸Ｚをフィン６０の回動軸に設定したときの、フィン６０の空気流案内面が吹出口リング６１の中心軸と平行となる全開モード時の状態を示している。同図（ａ）に示すように、軸Ｘをフィン６０の回動軸に設定した場合、全開モード時の状態におけるフィン６０の中心軸Ｏ方向の長さＬａは、吹出口６２の半径Ｒを超える。一方、同図（ｂ）に示すように、軸Ｙをフィン６０の回動軸に設定した場合、全開モード時の状態におけるフィン６０の中心軸Ｏ方向の長さＬｂは、吹出口６２の半径Ｒと同じとなる。なお、径軸回動式では、この場合に、全開モード時の状態におけるフィン６０の中心軸Ｏ方向の長さが最小となる。一方、同図（ｃ）に示すように、軸Ｚをフィン６０の回動軸に設定した場合、全開モード時の状態におけるフィン６０の中心軸Ｏ方向の長さＬｃは、吹出口６２の半径Ｒ未満となる。よって、フィン６０が４枚の場合、径軸回動式とするよりも、弦軸回動式とした方が、吹出口リング６１の中心軸Ｏ方向におけるフィン６０の張り出しを抑えることができる。
【００４０】
なお、こうした傾向は、フィンの枚数が３枚の場合にはより顕著となる。このように、フィンシャット機能及び拡散送風機能を３枚又は４枚のフィンにより実現する場合には、径軸回動式とするよりも、弦軸回動式とした方が、フィンの張り出しを抑えて丸型空調用レジスタをよりコンパクトに構成することができる。また、径軸回動式では実現が困難なスポット送風機能も、弦軸回動式では比較的容易に実現可能である。しかしながら、フィンの枚数が少ないと、次のような問題が生じてしまう。
【００４１】
図１４は、フィン体１４が副フィン２５を備えず、主フィン２４のみからなる単フィン構造とされた丸型空調用レジスタ１１０における拡散送風モード時の内部の状態を示している。同図に示すように、フィンが３枚の主フィン２４しかない、この丸型空調用レジスタ１１０では、拡散送風モード時に、吹出口１３Ａの内周とフィン体１４との間に広い隙間ができてしまう。そのため、吹出口１３Ａを通る空調用空気の多くがフィン体１４（主フィン２４）の空気流案内面に当たることなくそのままストレートに吹き出されてしまうことになり、送風の拡散性能がその分限定されてしまう。こうした問題は、スポット送風モード時にも同様であり、フィン枚数の少なさにより、送風の収束性能も限定されることになる。
【００４２】
その点、本実施形態の丸型空調用レジスタ１０では、３つのフィン体１４がそれぞれ、一体に設けられた主フィン２４及び副フィン２５の２枚のフィンにより構成されている。そのため、個別の回動軸を有して回動されるフィン体１４の数を少なくして部品点数を抑えつつも、フィン体１４の数の倍の枚数のフィンが吹出口１３Ａに介在することになり、送風の拡散及び収束が効果的に行われるようになる。
【００４３】
以上説明した本実施形態の丸型空調用レジスタ１０によれば、次の効果が得られる。
（１）各フィン体１４が、吹出口リング１３の内周をその中心軸Ｏ回りに分割したときの各領域の扇形の弦に平行な回動軸を有して同吹出口リング１３に回動可能に軸支されている。そのため、フィン体１４の数の削減に伴う、全開モード時の中心軸Ｏ方向へのフィン体１４の張り出し量の増大を抑えることが可能となり、部品点数を抑えつつ、意匠性の向上や丸型空調用レジスタ１０の大型化の抑制を図ることができる。
【００４４】
（２）閉鎖位置にて吹出口１３Ａを閉鎖する主フィン２４と、その主フィン２４に間隔を置いて配置された副フィン２５とが、各フィン体１４に一体に設けられている。そのため、個別の回動軸を有して回動されるフィン体１４の数が少なくても、拡散送風モード時に吹出口１３Ａから吹出される空調用空気を良好に拡散させることができる。
【００４５】
（３）同様に、個別の回動軸を有して回動されるフィン体１４の数が少なくても、スポット送風モード時に吹出口１３Ａから吹出される空調用空気を良好に収束させることができる。
【００４６】
（４）個別の回動軸を有して回動されるフィン体１４の数が少なくても、空調用空気の送風方向を変更するためのフィンの枚数を多くすることができるため、部品点数を抑えながら、送風の拡散性能を好適に確保することができる。
【００４７】
（５）吹出口リング１３が、フィン体１４を軸支するリング前部２０と、そのリング前部２０に相対回動可能に設けられて、フィン体１４に突出形成された突起部１４Ｂ，１４Ｃをその相対回動に応じて吹出口リング１３の中心軸方向に案内する第１ガイド溝２３Ａ及び第２ガイド溝２３Ｂを有したリング基部２１とにより構成されている。そのため、弦軸回動式のフィン体１４の回動を比較的簡易な構造の機構により行うことができる。
【００４８】
（６）フィン体１４を回動させるための突起部１４Ｂ，１４Ｃ及びガイド溝（２３Ａ，２３Ｂ）を２組備え、フィン体１４の回動範囲の途中で、突起部１４Ｂ，１４Ｃを案内するガイド溝（２３Ａ，２３Ｂ）を切り換えるようにしている。そのため、比較的短いガイド溝（２３Ａ，２３Ｂ）でも、フィン体１４の傾斜角の変更量を大きくすることができ、内面にガイド溝（２３Ａ，２３Ｂ）が設けられたリング基部２１を、ひいては丸型空調用レジスタ１０をよりコンパクトに構成することができる。
【００４９】
なお、上記実施形態は、以下のように変更して実施することもできる。
＜フィン体１４の形状について＞
・フィン体１４の形状は、閉鎖位置にて吹出口１３Ａを閉鎖する主フィン２４と、その主フィン２４に間隔を置いて配置された副フィン２５とが一体に設けられている限りにおいて適宜変更してもよい。例えば、図１５は、そうしたフィン体１４の一例を示している。同図のフィン体１４の一例では、主フィン２４と副フィン２５とは、主フィン２４から垂直に突出した支柱２６を介して互いに連結されている。
【００５０】
・各フィン体１４が、主フィン２４と２枚以上の副フィン２５とを備える構成としてもよい。
＜フィン体１４の回動機構について＞
・フィン体１４から突出した突起部と吹出口リング１３の内面に形成されたガイド溝とを一組だけ設け、それらによりフィン体１４を回動させるようにしてもよい。そうした場合にも、ガイド溝を十分長くすれば、上記実施形態と同様にフィン体１４を回動させることができる。
【００５１】
・フィン体１４を回動する機構として、リング基部２１に対するリング前部２０の相対回動に応じた、ガイド溝に沿った吹出口リング１３の中心軸Ｏ方向への突起部の変位によりフィン体１４を回動させる機構以外の機構を採用してもよい。例えばリンク機構やギア機構を用いてフィン体１４を回動することが考えられる。
【００５２】
＜スポット送風モードについて＞
・設定可能な送風モードからスポット送風モードを割愛するようにしてもよい。そうした場合、フィン体１４の回動範囲は、閉鎖位置から全開位置までとなる。
【００５３】
＜吹出口１３Ａの向きの変更について＞
・上記丸型空調用レジスタ１０では、リテーナ１２に対して吹出口リング１３を揺動可能に設置し、その揺動に応じてインストルメントパネル１１における吹出口１３Ａの向きを変更可能としていたが、吹出口１３Ａの向きを固定するようにしてもよい。そうした場合、吹出口リング１３を省略し、フィン体１４は、リテーナ１２に軸支することになる。そうした場合、リテーナ１２が筒体に相当する構成となる。
【００５４】
＜適用箇所について＞
・上記丸型空調用レジスタ１０は、車室内におけるインストルメントパネル１１とは異なる箇所、例えばダッシュボードに取り付けられるものであってもよい。
【００５５】
・上記空調用レジスタは、空調装置から送られてきて吹出口から室内に吹出す空調用空気の向きを変更することに加え、通風路を開放及び閉鎖するシャットダンパを有するものであれば、車両に限らず広く適用可能である。
【符号の説明】
【００５６】
１０…丸型空調用レジスタ、１１…インストルメントパネル、１２…リテーナ、１３…吹出口リング（筒体）、１３Ａ…吹出口、１４…フィン体、１４Ｂ，１４Ｃ…突起部、２０…リング前部（第１筒体）、２１…リング基部（第２筒体）、２３…ガイド溝対、２３Ａ…第１ガイド溝（ガイド溝）、２３Ｂ…第２ガイド溝（ガイド溝）、２４…主フィン、２５…副フィン、２６…支柱。
【図１】
0006265100.tif 000002
【図２】
0006265100.tif 000003
【図３】
0006265100.tif 000004
【図４】
0006265100.tif 000005
【図５】
0006265100.tif 000006
【図６】
0006265100.tif 000007
【図７】
0006265100.tif 000008
【図８】
0006265100.tif 000009
【図９】
0006265100.tif 000010
【図１０】
0006265100.tif 000011
【図１１】
0006265100.tif 000012
【図１２】
0006265100.tif 000013
【図１３】
0006265100.tif 000014
【図１４】
0006265100.tif 000015
【図１５】
0006265100.tif 000016